(57)【特許請求の範囲】
【請求項１】
基地局がＬ個のロジックリソースユニットをＭ個のリソース割り当てユニットに分割し、その中、Ｍ＜＝Ｌ、Ｌ＜＝Ｎ、Ｎは物理リソースユニット総数であり、
前記基地局が端末装置に、前記Ｍ個のリソース割り当てユニットにおける前記基地局が前記端末装置に割り当てたリソース割り当てユニットを指示する指示情報を送信するステップを含むことを特徴とする無線通信システムにおけるリソースインテックスのコーディング方法。
【請求項２】
無線通信システムが支援する複数種類システム帯域幅における少なくとも１種のシステム帯域幅での前記Ｌ個のロジックリソースユニットを前記Ｍ個のリソース割り当てユニットに分割することを特徴とする請求項１に記載の方法。
【請求項３】
前記Ｍ個のリソース割り当てユニットに含まれるロジックリソースユニットの数量が、それぞれＭ1、Ｍ2、……、ＭMで、その中、前記Ｍ個のリソース割り当てユニットにおける少なくとも二つのリソース割り当てユニットに含まれるロジックリソースユニットの数量は異なることを特徴とする請求項１に記載の方法。
【請求項４】
前記Ｍ個のリソース割り当てユニットを、それぞれｚ個のリソース割り当てユニットを含むＫグループに分割（１＜＝Ｋ＜＝Ｍで、１＜＝ｚ＜＝Ｍである）することを特徴とする請求項１又は２に記載の方法。
【請求項５】
Ｋ＝１である場合、前記指示情報における全部又は一部のビットが、前記端末装置に割り当てたリソース割り当てユニットを指示することを特徴とする請求項４に記載の方法。
【請求項６】
２＜＝Ｋ＜＝Ｍである場合、前記指示情報の一部のビットが、前記端末装置に割り当てたリソース割り当てユニットが位置するグループ及び/又は指示タイプを指示し、前記指示メッセージにおける一部のビット以外の全部又は一部のビットが前記グループにおける前記端末装置に割り当てたリソース割り当てユニットを指示することを特徴とする請求項４に記載の方法。
【請求項７】
前記指示情報における全部又は一部のビットがビットマップＢｉｔｍａｐの方式で前記端末装置に割り当てたリソース割り当てユニットを指示し、ビットマップＢｉｔｍａｐにおける１つのビットが１つのリソース割り当てユニット又は１つのロジックリソースユニットを指示することを特徴とする請求項５又は６に記載の方法。
【請求項８】
２＜＝Ｋ＜＝Ｍである場合、前記基地局が前記Ｍ個のリソース割り当てユニットをＫグループに分割するステップが、
前記Ｋグループにおける少なくとも二つのグループが交差し、その中、前記二つのグループが交差するとは、前記二つのグループに同一のリソース割り当てユニット又はロジックリソースユニットが少なくとも１つ存在することを示し、又は、
前記Ｋグループにおける任意の二つのグループも交差せず、その中、前記二つのグループが交差しないとは、任意の二つのグループに同一の物理リソースユニット又はロジックリソースユニットが存在しないことを示すことを含むことを特徴とする請求項４に記載の方法。
【請求項９】
前記Ｌ個のロジックリソースユニットがいずれもサブバンドに基づくロジックリソースユニットであって、その中、一つのサブバンドが一つ又は複数の連続リソースユニットを含むことを特徴とする請求項１乃至３のいずれかに記載の方法。
【請求項１０】
Ｌを、リソースマッピング指示情報に基づいて確定することを特徴とする請求項１乃至３のいずれかに記載の方法。
【請求項１１】
前記指示情報が固定の二進数ビットであって、又は、前記指示情報のビット数をシステム帯域幅に基づいて確定することを特徴とする請求項１乃至３のいずれかに記載の方法。
【請求項１２】
前記指示情報が、前記基地局が前記Ｍ個のリソース割り当てユニットにおいて前記端末装置に割り当てたリソース割り当てユニットの開始位置及び/又は終了位置を含む位置及び/又は数量を指示することを特徴とする請求項１乃至３のいずれかに記載の方法。
【請求項１３】
基地局がＬ個のロジックリソースユニットをＫグループに分割し（１＜Ｋ＜＝Ｌ、Ｌ＜＝Ｎ、Ｎは物理リソースユニット総数）、
前記基地局が端末装置に、全部又は一部のビットが前記基地局がＫグループにおけるＬ個のロジックリソースユニットにおいて前記端末装置に割り当てたロジックリソースユニットを指示する指示情報を送信するステップを含むことを特徴とする無線通信システムにおけるリソースインテックスのコーディング方法。
【請求項１４】
前記指示情報の一部のビットが、前記端末装置に割り当てたロジックリソースユニットが位置するグループを指示し、前記指示メッセージにおける一部のビット以外の全部又は一部のビットがグループにおける前記端末装置に割り当てたロジックリソースユニットを指示することを特徴とする請求項１３に記載の方法。
【請求項１５】
前記指示メッセージにおける一部のビット以外の全部又は一部のビットに、少なくとも指示するロジックリソースユニットの数量がそれぞれＮｉとＮｊである二つのビットＢｉｔ  ｉとＢｉｔ  ｊが存在し、その中、ＮｉとＮｊは異なることを特徴とする請求項１４に記載の方法。
【請求項１６】
前記指示情報における全部又は一部のビットがビットマップＢｉｔｍａｐの方式で前記端末装置に割り当てたロジックリソースユニットを指示し、ビットマップＢｉｔｍａｐにおける１つのビットが一つ又は複数のロジックリソースユニットを指示することを特徴とする請求項１３乃至１５のいずれかに記載の方法。
【請求項１７】
前記基地局が前記Ｌ個のリソース割り当てユニットをＫグループに分割するステップが、
前記Ｋグループにおける少なくとも二つのグループが交差し、その中、前記二つのグループが交差するとは、二つのグループに同一の物理リソースユニット又はロジックリソースユニットが少なくとも１つ存在することを示し、又は、
前記Ｋグループにおける任意の二つのグループも交差せず、その中、前記二つのグループが交差しないとは、前記任意の二つのグループにも同一の物理リソースユニット又はロジックリソースユニットが存在しないことを示すことを含むことを特徴とする請求項１３に記載の方法。
【請求項１８】
前記Ｌ個のロジックリソースユニットがいずれもサブバンドに基づくロジックリソースユニットであって、その中、一つのサブバンドが一つ又は複数の連続のリソースユニットを含むことを特徴とする請求項１３乃至１５のいずれかに記載の方法。
【請求項１９】
Ｌを、リソースマッピング指示情報に基づいて確定することを特徴とする請求項１３乃至１５のいずれかに記載の方法。
【請求項２０】
前記指示情報が固定の二進数ビットであって、又は、前記指示情報のビット数をシステム帯域幅に基づいて確定することを特徴とする請求項１３乃至１５のいずれかに記載の方法。
【請求項２１】
前記指示情報が前記基地局が前記Ｌ個のロジックリソースユニットにおいて前記端末装置に割り当てたロジックリソースユニットの開始位置及び/又は終了位置を含む位置及び/又は数量を指示することを特徴とする請求項１３乃至１５のいずれかに記載の方法。
【請求項２２】
Ｌ個のロジックリソースユニットをＭ個のリソース割り当てユニット（Ｍ＜＝Ｌ、Ｌ＜＝Ｎ、Ｎは物理リソースユニット総数）に分割する第１の割り当てブロックと、
端末装置に、前記基地局が前記Ｍ個のリソース割り当てユニットにおける前記端末装置に割り当てたリソース割り当てユニットを指示する指示情報を送信する送信ブロックと、を含むことを特徴とする基地局。
【発明の詳細な説明】
【技術分野】
【０００１】
本発明は、通信分野に関し、具体的には、無線通信システムにおけるリソースインテックスのコーディング方法及び基地局に関する。
【背景技術】
【０００２】
基地局によってスケジューリングし制御する無線通信システムにおいて、基地局によってシステムにおけるすべての利用可能のリソースをスケジューリングし割り当て、例えば、ダウンリンク伝送に用いられるリソース及び端末装置によるアップリンク伝送に用いられるリソースなどを基地局によってスケジューリングし割り当てる。伝送において、リソース割り当てメッセージをダウンリンク伝送しなければならず、この場合に合理的なリソースインテックスのコーディング方法及びリソース割り当てメッセージ生成方法を利用しなければ、システムのダウンリンクリソースを浪費し、システム全般の伝送効率を低下してしまう。
【０００３】
異なる通信システムにおいて、基地局は異なる方法、異なるメッセージ又はシグナルによってリソースを指示し、例えば、電気及び電子エンジニア協会（Institute  for  ElectricaL  and  Electronic  Engineers、以下ＩＥＥＥと略称）８０２.１６ｄ／ｅのダウンリンクにおいて、二次元の時間領域-周波数領域のリソースブロックについて、各ユーザに割り当てたリソースについて、基地局はリソース割り当て制御情報においていずれも、例えば時間領域符号開始点、時間領域符号長さ、周波数領域チャネル開始点、周波数領域チャネルオフセットなどの複数の情報を与え、ユーザはこれらの情報に基づいて、自分に割り当てられたリソースサイズ及びその位置を一義的に確定する。
【０００４】
ＩＥＥＥ  ８０２.１６ｍシステムにおいて、リソースのマッピングは複雑であるが、それは、複数種類のロジックリソースユニットを構築して複数種類の伝送モードを支援するためである。図１は、関連技術に係る５ＭＨｚ帯域幅システムのリソースのマッピングを示す図で、ダウンリンクリソースのマッピングは、通常、サブバンドの分割（Subband  Partitioning）、ミニバンドの置換（Miniband  Permutation）、周波数パーティションの分割（Frequency  Partitioning）、連続リソースユニット/分布リソースユニットの割り当て（Contigous  Resource  Unit/Distributed  Resource  Unit  Allocation、以下ＣＲＵ／ＤＲＵ  Ａｌｌｏｃａｔｉｏｎと略称）、サブキャリアの置換（Subcarrier  Permutation）を含み、アップリンクリソースのマッピングは、サブバンドの分割、ミニバンドの置換、周波数パーティションの分割、連続リソースユニット/分布リソースユニットの割り当て、Ｔｉｌｅ置換（Tile  Permutation）を含む。通信システムにおいて、リソースマッピング指示情報はいずれも基地局により放送チャネル又はスーパーフレームヘッドを介して端末装置に送信され、端末装置はリソースマッピング指示情報に基づいて、ロジックリソースユニットのタイプ及び数量を取得する。リソースマッピング指示情報により周波数リソースの分割とマッピングが指示された場合、具体的には、ダウンリンクサブバンド割り当て数、アップリンクサブバンド割り当て数、ダウンリンク周波数パーティションの配置、アップリンク周波数パーティション配置、ダウンリンク周波数パーティションサブバンド割り当て数、アップリンク周波数パーティションサブバンド割り当て数、ダウンリンク連続リソースユニット割り当て数、アップリンク連続リソースユニット割り当て数、ダウンリンクのＭｉｎｉｂａｎｄに基づく連続リソースユニット数、アップリンクのＭｉｎｉｂａｎｄに基づく連続リソースユニット数を含む。図１に示すように、全帯域幅に合計５１２個のサブキャリアがあり、その中、高周波数区間と低周波数区間にそれぞれ３９個と４０個の保護サブキャリアがあって、これらのサブキャリアはリソースユニットを構成せず、中間の４３３個のサブキャリアに一つの直流サブキャリア（DC  subcarrier）（又は、ゼロ頻度キャリアとも呼ばれる）であって、残りの４３２個のサブキャリアはＮｓｙｍ（例えば１８）個のキャリアを単位にＮPRU（例えば２４）個の物理リソースユニット（Physical  Resource  Unit、以下ＰＲＵと略称）を構成し、各物理リソースユニットは時間的に幾つかのＯＦＤＭ符号を占め、これらの物理リソースユニットがサブバンド分割（Subband  Partitioning）フローを経て、サブバンド及び/又はミニバンド（Subbanｄ  and/or  Miniband）に分割され、図１において、１サブバンドはＮ１(例えば４)個のＰＲＵからなることができ、このようなサブバンドを構成するＰＲＵがＰＲＵSBと呼ばれ、１ミニバンドはＮ２(例えば１)個のＰＲＵからなり、その後のすべてのミニバンドＰＲＵ（ＰＲＵMBと称する）は１ミニバンドの置換を経て、置換後のミニバンドＰＲＵ（ＰＲＵMB）を形成し、その後、すべてのＰＲＵSBとＰＲＵMBは周波数パーティションの分割（Frequency  Partitioning）を経て、一つ又は複数の周波数パーティションと分割され、図１において、周波数パーティショ��が一つだけで、ＦＰ０と呼ばれ、それにおけるＰＲＵがＰＰＲＵFP0と呼ばれ、その後、各周波数パーティションにおいて、一部のＰＰＲＵMBを抽出してサブキャリアマッピングを行って、このようなサブキャリアマッピングを経たＰＲＵが分布式ロジックリソースユニット（Distributed  Logical  Resource  Unit、以下ＤＬＲＵと略称）と呼ばれ、サブキャリアの置換を経てない部分は連続ロジックリソースユニット（Contiguous  Logical  resource   Unit、以下ＣＬＲＵと略称）と呼ばれる。
【０００５】
現在、リソース割り当て指示について、通常、三角形木(Triangle  Tree)、2分木(Binary  Tree)、グループ合せ木(Combination  Tree)又はビットマップ（Ｂｉｔｍａｐ）（又はビットマッピングとも呼ばれる）に基づくリソース割り当て指示方法を用いていて、これらの方法のオーバーヘッドは小さいが、効率的にすべてのリソース割り当て状況を指示することができず、即ち、一部の割り当て状況が指示されないこともあるので、スケジューリングの柔軟性を制限することがある。
【発明の概要】
【発明が解決しようとする課題】
【０００６】
本発明は、上記問題を解決できる無線通信システムにおけるリソースインテックスのコーディング方法を提供することを目的とする。
【課題を解決するための手段】
【０００７】
本発明の一態様によると、基地局がＬ個のロジックリソースユニットをＭ個のリソース割り当てユニットに分割し、その中、Ｍ＜＝Ｌ、Ｌ＜＝Ｎ、Ｎは物理リソースユニット総数で、基地局が端末装置に、Ｍ個のリソース割り当てユニットにおける基地局が端末装置に割り当てたリソース割り当てユニットを指示する指示情報を送信するステップを含む無線通信システムにおけるリソースインテックスのコーディング方法を提供する。
【０００８】
無線通信システムが支援する複数種類システム帯域幅における少なくとも１種のシステム帯域幅でのＬ個のロジックリソースユニットをＭ個のリソース割り当てユニットに分割し、Ｍ個のリソース割り当てユニットをＫグループに分割することが好ましい。
【０００９】
Ｍ個のリソース割り当てユニットに含まれるロジックリソースユニットの数量が、それぞれＭ１、Ｍ２、……、ＭMで、その中、Ｍｉ(Ｍｊであるように、ｉ(ｊであるのが少なくとも一対存在することが好ましい。
その中、である。
【００１０】
Ｍ個のリソース割り当てユニットをＫグループに分割し、その中、１グループにおけるリソース割り当てユニットの総数はｚで、１＜＝Ｋ＜＝Ｍで、１＜＝ｚ＜＝Ｍであることが好ましい。
【００１１】
Ｋ＝１である場合、指示情報における全部又は一部のビットが、端末装置に割り当てたリソース割り当てユニットを指示することが好ましい。
【００１２】
２＜＝Ｋ＜＝Ｍである場合、指示情報の一部のビットによって、端末装置に割り当てたリソース割り当てユニットが位置するグループ及び/又は指示タイプを指示し、指示メッセージにおける一部のビット以外の全部又は一部のビットによってグループにおける端末装置に割り当てたリソース割り当てユニットを指示することが好ましい。
【００１３】
指示情報における全部又は一部のビットがビットマップＢｉｔｍａｐの方式で端末装置に割り当てたリソース割り当てユニットを指示し、ビットマップＢｉｔｍａｐにおける１つのビットが１つのリソース割り当てユニット又は１つのロジックリソースユニットを指示することが好ましい。
【００１４】
２＜＝Ｋ＜＝Ｍである場合、基地局がＭ個のリソース割り当てユニットをＫグループに分割するステップが、Ｋグループにおける少なくとも二つのグループが交差（CROSS）し、その中、二つのグループが交差するとは、二つのグループに同一の物理リソースユニット又はロジックリソースユニットが少なくとも１つ存在することを示し、又は、Ｋグループにおける任意の二つのグループも交差せず、その中、二つのグループが交差しないとは、任意の二つのグループに同一のリソース割り当てユニット又はロジックリソースユニットが存在しないことを示すことを含むことが好ましい。
【００１５】
Ｌ個のロジックリソースユニットがいずれもサブバンドに基づくロジックリソースユニットであって、その中、一つのサブバンドが一つ又は複数の連続リソースユニットを含むことが好ましい。
【００１６】
Ｌを、リソースマッピング指示情報に基づいて確定することが好ましい。
【００１７】
指示情報が固定の二進数ビットであって、又は、指示情報のビット数をシステム帯域幅に基づいて確定することが好ましい。
【００１８】
指示情報が、基地局がＭ個のリソース割り当てユニットにおいて端末装置に割り当てたリソース割り当てユニットの位置及び/又は数量を指示し、位置が開始位置及び/又は終了位置を含むことが好ましい。
【００１９】
基地局が指示情報を介して端末装置に割り当てたリソース割り当てユニットの位置及び/又は数量を指示し、端末装置が割り当てられたリソース割り当てユニットに基づいて、割り当てられたロジックリソースユニットの位置及び/又は数量を取得することが好ましい。
【００２０】
本発明の一態様によると、基地局がＬ個のロジックリソースユニットをＫグループに分割し、その中、１＜Ｋ＜＝Ｌ、Ｌ＜＝Ｎ、Ｎは物理リソースユニット総数であって、基地局が端末装置に、全部又は一部のビットが基地局がＫグループにおけるＬ個のロジックリソースユニットにおいて端末装置に割り当てたロジックリソースユニットを指示する指示情報を送信するステップを含む無線通信システムにおけるリソースインテックスのコーディング方法を提供する。
【００２１】
指示情報の一部のビットが、端末装置に割り当てたロジックリソースユニットが位置するグループを指示し、指示メッセージにおける一部のビット以外の全部又は一部のビットがグループにおける端末装置に割り当てたロジックリソースユニットを指示することが好ましい。
【００２２】
指示メッセージにおける一部のビット以外の全部又は一部のビットに、Ｎｉ(Ｎｊであるような二つのビットＢｉｔ  ｉとＢｉｔ  ｊが存在し、その中、Ｂｉｔ  ｉとＢｉｔ  ｊにより指示されるロジックリソースユニットの数量はそれぞれＮｉとＮｊであることが好ましい。
【００２３】
指示情報における全部又は一部のビットがビットマップＢｉｔｍａｐの方式で端末装置に割り当てたロジックリソースユニットを指示し、ビットマップＢｉｔｍａｐにおける１つのビットが一つ又は複数のロジックリソースユニットを指示することが好ましい。
【００２４】
基地局がＬ個のリソース割り当てユニットをＫグループに分割するステップが、Ｋグループにおける少なくとも二つのグループが交差し、その中、二つのグループが交差するとは、二つのグループに同一の物理リソースユニット又はロジックリソースユニットが少なくとも１つ存在することを示し、又は、Ｋグループにおける任意の二つのグループも交差せず、その中、二つのグループが交差しないとは、任意の二つのグループにも同一の物理リソースユニット又はロジックリソースユニットが存在しないことを示すことを含むことが好ましい。
【００２５】
Ｌ個のロジックリソースユニットがいずれもサブバンドに基づくロジックリソースユニットであって、その中、一つのサブバンドが一つ又は複数の連続のリソースユニットを含むことが好ましい。
【００２６】
Ｌを、リソースマッピング指示情報に基づいて確定することが好ましい。
【００２７】
指示情報が固定の二進数ビットであって、又は、指示情報のビット数をシステム帯域幅に基づいて確定することが好ましい。
【００２８】
指示情報が基地局がＬ個のロジックリソースユニットにおいて端末装置に割り当てたロジックリソースユニットの位置及び/又は数量を指示し、位置が開始位置及び/又は終了位置を含むことが好ましい。
【００２９】
本発明の他の一態様によると、Ｌ個のロジックリソースユニットをＭ個のリソース割り当てユニット（Ｍ＜＝Ｌ、Ｌ＜＝Ｎ、Ｎは物理リソースユニット総数）に分割する第１の割り当てブロックと、端末装置に、基地局がＭ個のリソース割り当てユニットにおける端末装置に割り当てたリソース割り当てユニットを指示する指示情報を送信する送信ブロックと、を含む基地局を提供する。
【発明の効果】
【００３０】
本発明によると、ロジックリソースユニットをリソース割り当てユニットに分割した後、リソース割り当てユニットをグループ分けし、端末装置に指示情報を送信することによって、関連技術におけるリソース割り当て指示方式によりスケジューリングの柔軟性を制限する問題を解決し、スケジューリング割り当ての柔軟性を実現できる。
【図面の簡単な説明】
【００３１】
ここで説明する図面は本発明を理解させるためのもので、本発明の一部を構成し、本発明における実施例と共に本発明を解釈し、本発明を不当に限定するものではない。
【図１】図１は、関連技術に係る５ＭＨｚ帯域幅システムのリソースマッピングを示す図である。
【図２】図２は、本発明の実施例に係る無線通信システムにおけるリソースインテックスのコーディング方法のフローチャートである。
【図３】図３は、本発明の実施例に係る基地局の構造を示すブロック図である。
【図４】図４は、本発明の実施例に係る基地局の好適な構造を示すブロック図である。
【図５】図５は、本発明の実施例の好適な実施例に係る５ＭＨｚ帯域幅システムのリソースマッピングを示す図である。
【図６】図６は、本発明の実施例の好適な実施例１に係る５ＭＨｚ帯域幅システムのリソースユニットインテックスのコーディング及び指示を示す第１図である。
【図７】図７は、本発明の実施例の好適な実施例１に係る５ＭＨｚ帯域幅システムのリソースユニットインテックスのコーディング及び指示を示す第２図である。
【図８】図８は、本発明の実施例の好適な実施例２に係る５ＭＨｚ帯域幅システムのリソースユニットインテックスのコーディング及び指示を示す第１図である。
【図９】図９は、本発明の実施例の好適な実施例２に係る５ＭＨｚ帯域幅システムのリソースユニットインテックスのコーディング及び指示を示す第２図である。
【図１０】図１０は、本発明の実施例の好適な実施例３に係る５ＭＨｚ帯域幅システムのリソースユニットインテックスのコーディング及び指示を示す第１図である。
【図１１】図１１は、本発明の実施例の好適な実施例３に係る５ＭＨｚ帯域幅システムのリソースユニットインテックスのコーディング及び指示を示す第２図である。
【図１２】図１２は、本発明の実施例の好適な実施例３に係るＬ＝２８である場合のリソースユニットインテックスのコーディング及び指示を示す図である。
【図１３】図１３は、本発明の実施例の好適な実施例４に係る５ＭＨｚ帯域幅システムのリソースユニットインテックスのコーディング及び指示を示す図である。
【図１４】図１４は、本発明の実施例の好適な実施例４に係るＬ＝１６である場合のリソースユニットインテックスのコーディング及び指示を示す第１図である。
【図１５】図１５は、本発明の実施例の好適な実施例４に係るＬ＝１６である場合のリソースユニットインテックスのコーディング及び指示を示す第２図である。
【発明を実施するための形態】
【００３２】
以下、図面を参照しつつ実施例に合わせて本発明を詳しく説明する。ここで、互いに矛盾しない限り、本願に記載の実施例及び実施例に記載の特徴を互いにグループみ合わせることができる。
【００３３】
以下の実施例におけるリソースは、アップリンクリソース又はダウンリンクリソースを示す。本実施例において、無線通信システムにおけるリソースインテックスのコーディング方法を提供し、図２は、本発明の実施例に係る無線通信システムにおけるリソースインテックスのコーディング方法のフローチャートで、図２に示すように、以下のステップを含む。
【００３４】
基地局は、Ｌ個のロジックリソースユニットをＭ個のリソース割り当てユニットに分割し（ステップＳ２０２）、その中、Ｍ＜＝Ｌである。例えば、Ｌ個のロジックリソースユニットをＭ個のリソース割り当てユニット[Ｍ１、Ｍ２、……、ＭM]に分割することができる。Ｍ＜Ｌである場合、Ｍ個のリソース割り当てユニットにおける少なくとも二つのリソース割り当てユニットに含まれるロジックリソースユニットの数量は異なり、即ち、少なくとも一対ｉとｊが存在し、ｉ(ｊである場合、Ｍi(Ｍjである。
【００３５】
基地局は、端末装置にリソース指示情報（指示情報と略称）を送信し（ステップＳ２０４）、その中、当該指示情報は、基地局がＭ個のリソース割り当てユニットにおいて端末装置に割り当てたリソース割り当てユニットを指示する。当該指示情報によって基地局が割り当てたリソースの数量及び/又は位置を指示することができる。当該位置が、開始位置又は終了位置を含むことが好ましく、開始位置を含むとともに終了位置を含むこともできる。
【００３６】
上記ステップＳ２０２〜ステップＳ２０４によって、リソース割り当てユニットを単位に指示し、リソース割り当てユニットに含まれるロジックリソースの数量を柔軟に設定することができ、異なる帯域幅、異なるリソース数量、異なるリソース割り当て粒度に基づいて、柔軟なコーディング及び指示方式を採用し、関連技術におけるスケジューリングの柔軟性に欠けている問題を解決することができる。
【００３７】
Ｌ個のロジックリソースユニットについて、その中、０≦Ｌ≦Ｎで、Ｎは物理リソースユニットの総数で、上記ステップＳ２０２〜ステップＳ２０６の方法を満たす少なくとも一つのＬのリソースインテックスのコーディング方法が存在することが好ましく、その中、それを満たす少なくとも一つのＬのリソースインテックスのコーディング方法が存在するとは、無線通信システムが支援する複数種類システムの帯域幅において少なくとも一つのシステム帯域幅での１種のＬ値が上記方法を満たすことを示し、その他は類似し、説明を省略する。
【００３８】
同一のシステム帯域幅における異なる上記Ｌ値の場合、０≦Ｌ≦Ｎで、Ｎは物理リソースユニットの総数で、Ｌをリソースマッピング指示情報に基づいて確定することが好ましい。
【００３９】
さらに柔軟に処理するため、Ｍ個のリソース割り当てユニットをＫグループに分割することが好ましく、その中、１グループにおけるリソース割り当てユニットの総数はｚで、１＜＝Ｋ＜＝Ｍ、１＜＝ｚ＜＝Ｍである。例えば、Ｍ個のリソース割り当てユニットをＳ１、Ｓ２、……、ＳＫの合計Ｋグループに分割し、各グループにそれぞれＫ１、Ｋ２、……、ＫK個のリソース割り当てユニットが含まれ、１≦Ｋ≦Ｍである。
【００４０】
同様に、リソース割り当てユニットが中間処理フローであるので、省略し、直接、Ｌ個のロジックリソースユニットをＫグループに分割することができ、各グループにおけるロジックリソースユニット数量はＬiで、二進数のビットで指示し、各二進数のビットで一つ又は複数のロジックリソースユニットを指示する。ここで、少なくとも１種のＬ値が、上記リソース割り当てユニットを省略し直接グループ分けする方法を満たす。
【００４１】
リソース割り当てユニットを省略する場合、指示情報の一部のビットは端末装置に割り当てたロジックリソースユニットが位置するグループを指示し、指示メッセージにおけるその他の全部又は一部のビットはグループにおける端末装置に割り当てたロジックリソースユニットを指示する。指示メッセージにおける上記端末装置に割り当てたロジックユニットが位置するグループを指示するビット以外の全部又は一部のビットには、少なくとも、それぞれ指示するロジックリソースユニットの数量がそれぞれＮiとＮj（ＮiとＮjは異なる）である二つのビットＢｉｔ  ｉとＢｉｔ  ｊが存在することが好ましい。指示情報における全部又は一部のビットがビットマップＢｉｔｍａｐの方式で、端末装置に割り当てたロジックリソースユニットを指示し、ビットマップＢｉｔｍａｐにおける１ビットが一つ又は複数のロジックリソースユニットを指示することが好ましい。
【００４２】
Ｋ＝１である場合、当該指示メッセージは、ビットマップＢｉｔｍａｐの方式で、端末装置に割り当てたリソース割り当てユニットを指示することが好ましく、即ち、当該指示情報の全部又は一部のビットによってＢｉｔｍａｐの方式でリソースの数量及び/又は位置を指示することができる。２＜＝Ｋ＜＝Ｍである場合、当該指示メッセージの一部のビットによって端末装置に割り当てたリソース割り当てユニットが位置するグループ及び/又は指示タイプを指示し、当該指示メッセージにおける当該一部のビット以外の全部又は一部のビットによって端末装置に割り当てたグループにおける端末装置に割り当てたリソース割り当てユニットを指示することが好ましい。即ち、指示情報の全部ビットにおける一部のビットによって、割り当てたリソースが位置するグループを指示し、残りのビットによってリソースの数量及び/又は位置を指示する。当該指示情報における全部又は一部のビットによってビットマップＢｉｔｍａｐの方式で端末装置に割り当てたリソース割り当てユニットを指示し、ビットマップＢｉｔｍａｐにおける１ビットは１リソース割り当てユニット又は１ロジックリソースユニットを指示することが好ましい。
【００４３】
２＜＝Ｋ＜＝Ｍである場合、少なくとも二つのグループが交差し、二つのグループが交差するとは、二つのグループに少なくとも一つの同一のリソース割り当てユニットが存在することを示し、例えば、ｉ(ｊで、その中、１(ｉ<ｊ(Ｋ、SｉとSｊに少なくとも一つの同一のリソース割り当てユニット又はロジックリソースユニットが存在し、又は、任意の二つのグループが交差せず、その中、二つのグループが交差しないとは、いずれかの二つのグループに同一のリソース割り当てユニット又はロジックリソースユニットが存在せず、例えば、任意のｉ(ｊで、１(ｉ<ｊ(Ｋで、ＳｉとＳｊに同一のリソース割り当てユニット又はロジックリソースユニットが存在しない。
【００４４】
上述の説明に対応し、実施例において基地局を提供し、図３は、本発明の実施例に係る基地局の構造を示すブロック図で、当該基地局は上記実施例を実現するためのもので、説明した内容の説明は省略し、以下、当該基地局のブロックを説明する。図３に示すように、当該基地局は、第１の割り当てブロック３２と、送信ブロック３６と、を含み、以下各ブロックを詳しく説明する。
【００４５】
第１の割り当てブロック３２は、Ｌ個のロジックリソースユニットをＭ個のリソース割り当てユニットに分割し、その中、Ｍ＜＝Ｌである。送信ブロック３６は第１の割り当てブロック３２に接続され、端末装置に指示情報を送信し、その中、指示情報はＭ個のリソース割り当てユニット中の基地局が端末装置に割り当てたリソース割り当てユニットを指示するものである。
【００４６】
図４は、本発明の実施例に係る基地局の好適な構造を示すブロック図で、図４に示すように、該基地局は、さらに、第１の割り当てブロック３２に接続され、Ｍ個のリソース割り当てユニットをＫグループに分割する第２の割り当てブロック３４（その中、１＜＝Ｋ＜＝Ｍ）と、第２の割り当てブロック３４と送信ブロック３６に接続され、Ｋ＝１である場合、指示情報をビットマップＢｉｔｍａｐの方式で端末装置に割り当てたリソース割り当てユニットを指示する設定ブロック４２と、を含む。
【００４７】
当該設定ブロック４２が、２＜＝Ｋ＜＝Ｍである場合、指示情報の所定のビットを端末装置に割り当てたリソース割り当てユニットが位置するグループを指示するように設定し、指示情報における所定のビット以外の一部又は全部のビットを端末装置に割り当てたグループにおいて端末装置に割り当てたリソース割り当てユニットを指示するように設定することが好ましい。
【００４８】
第２の割り当てブロック３４が、２＜＝Ｋ＜＝Ｍである場合、Ｍ個のリソース割り当てユニットを少なくとも二つのグループが交差するＫグループに分割し、その中、二つのグループが交差するとは、二つのグループに同一のリソース割り当てユニット又はロジックリソースユニットが少なくとも一つ存在することを示し、又は、第２の割り当てブロック３４が、２＜＝Ｋ＜＝Ｍである場合、Ｍ個のリソース割り当てユニットを任意の二つのグループも交差しないＫグループに分割することが好ましく、その中、二つのグループが交差しないとは、いずれかの二つのグループにも同一のリソース割り当てユニット又はロジックリソースユニットが存在しないことを示す。
【００４９】
上記Ｌ個のロジックリソースユニットがサブバンドに基づくロジックリソースユニットであることが好ましく、その中、１サブバンドは一つ又は複数の連続リソースユニットを含むことができる。
【００５０】
上記指示情報は、固定の二進数ビット（例えば、１１ビット、以下の好適な実施例において１１ビットを例に説明する）である、又は当該指示情報に含まれるビット数をシステムの帯域幅に基づいて確定することが好ましく、例えば、１０ＭＨｚシステムがＮビットを、２０ＭＨｚがＮ＋１ビットを、５ＭＨZシステムがＮ-１ビットを使用することができる。
【００５１】
以下、図面を参照して好適な実施例を説明する。
好適な実施例１
本実施例において、５ＭＨｚシステム（当該システムは５１２ポイントのＦＦＴを利用）の利用可能の物理サブキャリアにリソースマッピングを行い、図５は、本発明の実施例の好適な実施例に係る５ＭＨｚ帯域幅システムのリソースマッピングを示す図で、図５に示すように、Ｌ＝２４個のロジックリソースユニットを得た。２４個のロジックリソースユニットに一つの周波数パーティション、即ち、ＦＰ0がある。ＦＰ0に４個のサブバンド（Ｓｕｂｂａｎｄ）、即ち、１６個の連続ロジックリソースユニット（Contiguous  Logic  Resource  Unit、以下ＣＬＲＵと略称）が含まれ、その中、１サブバンドはサブキャリアが完全に連続する４個のロジックリソースユニットである。これらのＣＬＲＵはサブバンドに基づくものであるので、サブバンドに基づくＬＲＵ（Subband-based  LRU、以下SLRUと略称）とも呼ばれる。
【００５２】
図６は、本発明の実施例の好適な実施例１に係る５ＭＨｚ帯域幅システムのリソースユニットインテックスのコーディング及び指示を示す第１図で、図６に示すように、リソースインテックスを指示するビット数が１１ビットであって、１１ビットを例に説明するが、これに限定されない。
【００５３】
インテックスがそれぞれ[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ14、ＳＬＲＵ15]である４個のサブバンドにおける１６個の連続ロジックリソースユニットをＭ＝１１個のリソース割り当てユニットに分割し、各割り当てユニットにＭ1、Ｍ2、……、ＭM個の連続ロジックリソースユニットが含まれ、その中、Ｍ0＝Ｍ3＝Ｍ6＝Ｍ9＝Ｍ10＝２で、Ｍ1＝Ｍ2＝Ｍ4＝Ｍ5＝Ｍ7＝Ｍ8＝１である。Ｍ0は[ＳＬＲＵ0、ＳＬＲＵ1]を、Ｍ1は[ＳＬＲＵ2]を、Ｍ2は[ＳＬＲＵ3]を、Ｍ3は[ＳＬＲＵ4、ＳＬＲＵ5]を、Ｍ4は[ＳＬＲＵ6]を、Ｍ5は[ＳＬＲＵ7]を、Ｍ6は[ＳＬＲＵ8、ＳＬＲＵ9]を、Ｍ7は[ＳＬＲＵ１10]を、Ｍ８は[ＳＬＲＵ11]を、Ｍ9は[ＳＬＲＵ12、ＳＬＲＵ13]を、Ｍ10は[ＳＬＲＵ14、ＳＬＲＵ15]を含む。
【００５４】
Ｍ個のリソース割り当てユニットをＫ＝１グループに分割すると、グループにＫ1＝１１個のリソース割り当てユニットが含まれる。
【００５５】
リソース指示情報の全部が１１ビットであって、１１ビットはＢｉｔｍａｐの方式でリソースの数量及び位置を指示し、即ち、Ｂｉｔ  ｉはリソース割り当てユニットＭiを指示し、Ｂｉｔ  ｉ＝１はリソース割り当てユニットＭiが割り当てられたことを示し、Ｂｉｔ  ｉ＝０はリソース割り当てユニットＭiが割り当てられていないことを示す。例えば、ｂｉｔ  ０はリソース割り当てユニットＭ0を指示し、ｂｉｔ  ８はリソース割り当てユニットＭ8を指示する。１１ビットが[０１０、００００、００１０]であると、割り当てられたリソースのサイズが３個の連続ロジックリソースユニットで、位置がリソース割り当てユニットＭ1とリソース割り当てユニットＭ9が割り当てられた、即ち、連続ロジックリソースユニット[ＳＬＲＵ2、ＳＬＲＵ12、ＳＬＲＵ13]が割り当てられたことを示す。
【００５６】
本実施例において、Ｌ＝２４個のロジックリソースユニットが３個の周波数パーティション、即ち、ＦＰ1、ＦＰ2、ＦＰ3に分割されると、各周波数パーティションにそれぞれ８、８、８個のＬＲＵがあり、且つＦＰ1、ＦＰ2、ＦＰ3それぞれは１個のサブバンドを含み、合計で３個のサブバンド、即ち、１２個の連続ロジックリソースユニットを含む。
【００５７】
図７は、本発明の実施例の好適な実施例１に係る５ＭＨｚ帯域幅システムにおけるリソースユニットインテックスのコーディング及び指示を示す第２図で、図７に示すように、リソースインテックスを指示するビット数は依然として１１ビットである。
【００５８】
１２個の連続ロジックリソースユニットの場合、そのインテックスが[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11]で、１２個の連続ロジックリソースユニットをＭ＝９個のリソース割り当てユニットに分割し、各割り当てユニットがＭ0、Ｍ1、……、Ｍ8個の連続ロジックリソースユニットを含み、その中、Ｍ0＝Ｍ3＝Ｍ6＝２で、Ｍ1＝Ｍ2＝Ｍ4＝Ｍ5＝Ｍ7＝Ｍ8＝１で、Ｍ0は[ＳＬＲＵ0、ＳＬＲＵ1]を、Ｍ1は[ＳＬＲＵ2]を、Ｍ2は[ＳＬＲＵ3]を、Ｍ3は[ＳＬＲＵ4、ＳＬＲＵ5]を、Ｍ4は[ＳＬＲＵ6]を、Ｍ5は[ＳＬＲＵ7]を、Ｍ6は[ＳＬＲＵ8、ＳＬＲＵ9]を、Ｍ7は[ＳＬＲＵ10]を、Ｍ8は[ＳＬＲＵ11]を含む。
【００５９】
Ｍ個のリソース割り当てユニットを合計でＫ＝１グループに分割すると、グループにＫ1＝１１個のリソース割り当てユニットがある。
【００６０】
リソース指示情報の全部が１１ビットで、１１ビットがＢｉｔｍａｐの方式でリソースの数量及び位置を指示し、即ち、Ｂｉｔ  ｉはリソース割り当てユニットＭiを指示し、Ｂｉｔ  ｉ＝１はリソース割り当てユニットＭiが割り当てられたことを、Ｂｉｔ  ｉ＝０はリソース割り当てユニットＭiが割り当てられていないことを示す。例えば、bｉｔ  ０はリソース割り当てユニットＭ0を、bｉｔ  ８はリソース割り当てユニットＭ8を指示する。１１ビットが[０００、０００１、０１１１]であると、割り当てたリソースのサイズが４個の連続ロジックリソースユニットで、位置が、リソース割り当てユニットＭ0、Ｍ1、Ｍ2とリソース割り当てユニットＭ4が割り当てられた、即ち、連続ロジックリソースユニット[ＳＬＲＵ0、ＳＬＲＵ1、ＳＬＲＵ2、ＳＬＲＵ3、ＳＬＲＵ6]が割り当てられたことを示す。
【００６１】
上記１２個の連続ロジックリソースユニットから、リソース指示情報の全部が１１ビットであるが、９個のビットのみが利用され、その他は保留ビットであることが分かる。この場合、２個の連続ロジックリソースユニットを含む２個のリソース割り当てユニットを減少し、１個の連続ロジックリソースユニットを含むリソース割り当てユニットを２個追加することによって、リソース指示の柔軟性を向上することができる。しかし、コーディング及び指示方法は複雑になり、メリットとデメリットが共存する。
【００６２】
好適な実施例２
好適な実施例１に基づいて、異なる方案が得られる。実施例１においてＳｕｂｂａｎｄ  ０における[ＳＬＲＵ0、ＳＬＲＵ1、ＳＬＲＵ2、ＳＬＲＵ3]とＢｉｔ  ０、Ｂｉｔ  １、Ｂｉｔ  ２との対応関係はＢｉｔ  ０が[ＳＬＲＵ0、ＳＬＲＵ1]に、Ｂｉｔ  １が[ＳＬＲＵ2]に、Ｂｉｔ  ２が[ＳＬＲＵ3]に対応し、また、Ｂｉｔ  ０が[ＳＬＲＵ0]に、Ｂｉｔ  １が[ＳＬＲＵ1、ＳＬＲＵ2]に、Ｂｉｔ  ２が[ＳＬＲＵ3]に対応するようにしてもよく、又は、Ｂｉｔ  ０が[ＳＬＲＵ0]に、Ｂｉｔ  １が[ＳＬＲＵ１]に、Ｂｉｔ  ２が[ＳＬＲＵ2、ＳＬＲＵ3]に対応し、その他のＳｕｂｂａｎｄはいずれも類似する方法を採用することができるので、説明を省略する。例えば、１６個又は１２個の連続ロジックリソースユニットはリソースインテックスのビット数が１１ビットであることを指示し、リソースインテックスのコーディングと指示方法は以下の通りである。
【００６３】
図８は、本発明の実施例の好適な実施例２に係る５ＭＨｚ帯域幅システムにおけるリソースユニットインテックスのコーディングと指示を示す第１図で、図８に示すように、１６個の連続ロジックリソースユニットの場合、そのインテックスは[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ14、ＳＬＲＵ15]で、１６個の連続ロジックリソースユニットをＭ＝１１個のリソース割り当てユニットに分割し、各割り当てユニットにＭ1、Ｍ2、……、Ｍ8個の連続ロジックリソースユニットが含まれ、その中、Ｍ1＝Ｍ4＝Ｍ7＝Ｍ9＝Ｍ10＝２で、Ｍ0＝Ｍ2＝Ｍ3＝Ｍ5＝Ｍ6＝Ｍ8＝１で、Ｍ0は[ＳＬＲＵ0]を、Ｍ1は[ＳＬＲＵ1、ＳＬＲＵ2]を、Ｍ2は[ＳＬＲＵ3]を、Ｍ3は[ＳＬＲＵ4]を、Ｍ4は[ＳＬＲＵ5、ＳＬＲＵ6]を、Ｍ5は[ＳＬＲＵ7]を、Ｍ6は[ＳＬＲＵ8]を、Ｍ7は[ＳＬＲＵ9、ＳＬＲＵ10]を、Ｍ8は[ＳＬＲＵ11]を、Ｍ9は[ＳＬＲＵ12、ＳＬＲＵ13]を、Ｍ10は[ＳＬＲＵ14、ＳＬＲＵ15]を含む。
【００６４】
Ｍ個のリソース割り当てユニットを合計Ｋ＝１グループに分割すると、グループにはＫ1＝１１個のリソース割り当てユニットが含まれる。
【００６５】
リソース指示情報の全部が１１ビットで、１１ビットはＢｉｔｍａｐの方式でリソースの数量及び位置を指示し、即ち、Ｂｉｔ  ｉはリソース割り当てユニットＭiを、Ｂｉｔ  ｉ＝１はリソース割り当てユニットＭiが割り当てられたことを指示し、Ｂｉｔ  ｉ＝０はリソース割り当てユニットＭiが割り当てられていないことを指示する。例えば、bｉｔ  ０はリソース割り当てユニットＭ0を、Ｂｉｔ  ８はリソース割り当てユニットＭ8を指示する。１１ビットが[０１０、００００、００１０]であると、割り当てられたリソースのサイズが４個の連続ロジックリソースユニットで、位置がリソース割り当てユニットＭ1とリソース割り当てユニットＭ9が割り当てられた、即ち、連続ロジックリソースユニット[ＳＬＲＵ1、ＳＬＲＵ2、ＳＬＲＵ12、ＳＬＲＵ13]が割り当てられたことを指示する。
【００６６】
図９は、本発明の実施例の好適な実施例２に係る５ＭＨｚ帯域幅システムのリソースユニットインテックスのコーディング及びその指示を示す第２図で、図９に示すように、１２個の連続ロジックリソースユニットの場合、そのインテックスは[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11]で、１２個の連続ロジックリソースユニットをＭ＝９個のリソース割り当てユニットに分割し、各割り当てユニットにはＭ0、Ｍ1、……、Ｍ8個の連続ロジックリソースユニットが含まれ、その中、Ｍ1＝Ｍ4＝Ｍ7＝２で、Ｍ0＝Ｍ2＝Ｍ3＝Ｍ5＝Ｍ6＝Ｍ8＝１で、Ｍ0は[ＳＬＲＵ0]を、Ｍ1は[ＳＬＲＵ1、ＳＬＲＵ2]を、Ｍ2は[ＳＬＲＵ3]を、Ｍ3は[ＳＬＲＵ4]を、Ｍ4は[ＳＬＲＵ5、ＳＬＲＵ６]を、Ｍ5は[ＳＬＲＵ7]を、Ｍ6は[ＳＬＲＵ8]を、Ｍ7は[ＳＬＲＵ9、ＳＬＲＵ10]を、Ｍ8は[ＳＬＲＵ11]を含む。
【００６７】
Ｍ個のリソース割り当てユニットをＫ＝１グループに分割すると、グループにはＫ1＝１１個のリソース割り当てユニットがある。
【００６８】
リソース指示情報の全てが１１ビットで、１１ビットはＢｉｔｍａｐの方式でリソースの数量及び位置を指示し、即ち、Ｂｉｔ  ｉはリソース割り当てユニットＭｉを指示し、Ｂｉｔ  ｉ＝１はリソース割り当てユニットＭiが割り当てられたことを示し、Ｂｉｔ  ｉ＝０はリソース割り当てユニットＭiが割り当てられていないことを示す。例えば、bｉｔ  ０はリソース割り当てユニットＭ0を指示し、bｉｔ  ８はリソース割り当てユニットＭ8を指示する。１１個のビットが[０００、０００１、０１１１]であると、割り当てられたリソースのサイズが５個の連続ロジックリソースユニットで、位置が、リソース割り当てユニットＭ0、Ｍ1、Ｍ2とリソース割り当てユニットＭ4が割り当てられたこと、即ち、連続ロジックリソースユニット[ＳＬＲＵ0、ＳＬＲＵ1、ＳＬＲＵ2、ＳＬＲＵ3、ＳＬＲＵ5、ＳＬＲＵ6]が割り当てられたことを示す。
【００６９】
好適な実施例３
本実施例は実施例１、２と、特定のＬ個の連続ロジックリソースユニットについて、割り当て可能なリソース割り当てユニットがいずれも１つのグループに位置する、即ち、Ｋ＝１である点で共通している。本実施例はＫ＞２の場合である。
【００７０】
実施例１を基に、例えば、１６個の連続ロジックリソースユニットの場合、同じくリソースインテックスのビット数が１１ビットで、Ｋ＞２のリソースコーディング及び指示方法を採用し、そのリソースインテックスのコーディング及び指示方法は以下の通りである。
【００７１】
図１０は、本発明の実施例の好適な実施例３に係る５ＭＨｚ帯域幅システムのリソースユニットインテックスのコーディング及び指示を示す第１図で、図１０に示すように、１６個の連続ロジックリソースユニットの場合、そのインテックスは[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ14、ＳＬＲＵ15]で、１６個の連続ロジックリソースユニットをＭ＝１６個のリソース割り当てユニットに分割し、各割り当てユニットにはＭ0、Ｍ1、……、Ｍ15個の連続ロジックリソースユニットが含まれ、その中、Ｍ0＝Ｍ1＝Ｍ2＝Ｍ3＝Ｍ4＝Ｍ5＝Ｍ6＝Ｍ7＝Ｍ8＝Ｍ9＝Ｍ10＝Ｍ11＝Ｍ12＝Ｍ13＝Ｍ14＝Ｍ15＝１で、Ｍiは[ＳＬＲＵi]を含む。
【００７２】
Ｍ個のリソース割り当てユニットをＫ＝２グループに分割すると、グループ１にＫ1＝１０個のリソース割り当てユニット[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9]が含まれ、グループ２にＫ1＝１０個のリソース割り当てユニット[ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ14、ＳＬＲＵ15]が含まれ、このように、二つのグループに同一の連続ロジックリソースユニット[ＳＬＲＵ6、ＳＬＲＵ7、ＳＬＲＵ8、ＳＬＲＵ9]が含まれる。
【００７３】
リソース指示情報の全てが１１ビットで、１１ビットはＢｉｔｍａｐの方式でリソースの数量及び位置を指示し、その中の１つのビット、例えば、Ｂｉｔ  １０はグループを区分するもので、例えば、Ｂｉｔ  １０＝０はグループ１を、Ｂｉｔ  １０＝１はグループ２を指示する。残りのビットはリソースの割り当て指示し、例えば、Ｂｉｔ  ｉ（０≦ｉ≦９）はリソース割り当てユニットＭｉが、Ｂｉｔ  ｉ＝１はリソース割り当てユニットＭiが割り当てられたことを指示し、Ｂｉｔ  ｉ＝０はリソース割り当てユニットＭiが割り当てられていないことを指示する。例えば、bｉｔ  ０はリソース割り当てユニットＭ0を、bｉｔ  ８はリソース割り当てユニットＭ8を指示する。１１ビットが[０１０、００００、００１１]であると、グループ１であって、リソース割り当てたサイズが３個の連続ロジックリソースユニットで、位置がリソース割り当てユニットＭ0、Ｍ1とリソース割り当てユニットＭ9が割り当てられたことを指示し、即ち、連続ロジックリソースユニット[ＳＬＲＵ0、ＳＬＲＵ1、ＳＬＲＵ9]が割り当てられたことを指示する。
【００７４】
また、以下の方法によってグループ１とグループ２を分割することができる。
図１１は、本発明の実施例の好適な実施例３に係る５ＭＨｚ帯域幅システムのリソースユニットインテックスのコーディング及び指示を示す第２図で、図１１に示すように、１６個の連続ロジックリソースユニットの場合、そのインテックスは[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ１4、ＳＬＲＵ15]で、１６個の連続ロジックリソースユニットをＭ＝１２個のリソース割り当てユニットに分割し、各割り当てユニットにはＭ1、Ｍ２、……、Ｍ10個の連続ロジックリソースユニットが含まれ、その中、Ｍ0＝Ｍ３＝Ｍ6＝Ｍ９＝２で、Ｍ1＝Ｍ2＝Ｍ4＝Ｍ5＝Ｍ7＝Ｍ8＝Ｍ10＝Ｍ11＝１で、Ｍ0は[ＳＬＲＵ0、ＳＬＲＵ1]を、Ｍ1は[ＳＬＲＵ2]を、Ｍ2は[ＳＬＲＵ3]を、Ｍ3は[ＳＬＲＵ4、ＳＬＲＵ5]を、Ｍ4は[ＳＬＲＵ6]を、Ｍ5は[ＳＬＲＵ7]を、Ｍ6は[ＳＬＲＵ8、ＳＬＲＵ9]を、Ｍ7は[ＳＬＲＵ10]を、Ｍ8は[ＳＬＲＵ11]を、Ｍ9は[ＳＬＲＵ12、ＳＬＲＵ１3]を、Ｍ10は[ＳＬＲＵ14]を、Ｍ11は[ＳＬＲＵ15]を含む。
【００７５】
１１リソース割り当てユニットを二つのグループに分割すると、グループ１にはＫ1＝１０個のリソース割り当てユニット[Ｍ0、Ｍ1、Ｍ2、Ｍ3、Ｍ4、Ｍ5、Ｍ6、Ｍ7、Ｍ8、Ｍ9]、即ち、[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13]が含まれ、グループ２にはＫ2＝１０個のリソース割り当てユニット[Ｍ0、Ｍ3、Ｍ4、Ｍ5、Ｍ6、Ｍ7、Ｍ8、Ｍ9、Ｍ10、Ｍ11]、即ち[ＳＬＲＵ0、ＳＬＲＵ1、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ１4、ＳＬＲＵ15]が含まれる。
【００７６】
Ｓｕｂｂａｎｄ数量が多い場合、例えば１０ＭＨｚ又は２０ＭＨｚのＳｕｂｂａｎｄ数量が７である場合、図１２におけるグループ分け方法を用いることもでき、その中、グループ２も二種類の方法を提供する。その基本原理は上記実施例に類似するので、説明を省略する。
【００７７】
好適な実施例４
実施例１、２、３に基づいて、異なるグループ合せ方案が得られる。例えば、同じく、１６個の連続ロジックリソースユニットであって、リソースインテックスのビット数が１１ビットで、そのリソースインテックスのコーディング及び指示方法は以下の通りである。
【００７８】
図１３は、本発明の実施例の好適な実施例４に係る５ＭＨｚ帯域幅システムのリソースユニットインテックスのコーディング及び指示を示す図で、図１３に示すように、１１ビット情報における二つのビット、例えば、Ｂｉｔ  １０とＢｉｔ  ９は利用されるリソースインテックスのコーディングモードを指示する。
【００７９】
Ｂｉｔ  １０、Ｂｉｔ  ９＝０ｂ００である場合、１６個の連続ロジックリソースユニットをＫ＝１グループに分割する。具体的には、１６個の連続ロジックリソースユニット[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ14、ＳＬＲＵ15]をＭ＝８個のリソース割り当てユニットに分割し、各割り当てユニットにはＭ0、Ｍ1、……、Ｍ7個の連続ロジックリソースユニットが含まれ、その中、Ｍ0＝Ｍ1＝Ｍ２＝Ｍ3＝Ｍ4＝Ｍ5＝Ｍ6＝Ｍ7＝２で、Ｍiは[ＳＬＲＵ2i  ＳＬＲＵ2i+１]を含む。リソース指示情報の低い８ビットはＢｉｔｍａｐの方式でリソースの数量及び位置を指示し、即ち、Ｂｉｔ  ｉはリソース割り当てユニットＭiを指示し、Ｂｉｔ  ｉ＝１はリソース割り当てユニットＭiが割り当てられたことを指示する。また、Ｂｉｔ  ｉ＝０はリソース割り当てユニットＭiが割り当てられていないことを指示する。例えば、bｉｔ  ０はリソース割り当てユニットＭ0を、bｉｔ  ７はリソース割り当てユニットＭ7を指示する。１１ビットが[０００、００００、１０１０]であると、割り当てたリソースのサイズが４個の連続ロジックリソースユニットで、位置がリソース割り当てユニットＭ1とリソース割り当てユニットＭ3が割り当てられた、即ち、連続ロジックリソースユニット[ＳＬＲＵ2、ＳＬＲＵ3、ＳＬＲＵ6、ＳＬＲＵ7]が割り当てられたことを指示する。
【００８０】
Ｂｉｔ  １０、Ｂｉｔ  ９＝０ｂ０１又は０ｂ１０である場合、いずれも１６個の連続ロジックリソースユニットをＫ＝２グループに分割し、０ｂ０１がグループ１の割り当て、０ｂ１０がグループ２の割り当てを指示する。
【００８１】
１６個の連続ロジックリソースユニットの場合、そのインテックスが[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ１1、ＳＬＲＵ12、ＳＬＲＵ13、ＳＬＲＵ14、ＳＬＲＵ15]であって、１６個の連続ロジックリソースユニットをＭ＝１２個のリソース割り当てユニットに分割し、各割り当てユニットにはＭ0、Ｍ1、……、Ｍ11個の連続ロジックリソースユニットが含まれ、その中、Ｍ0＝Ｍ3＝Ｍ6＝Ｍ9＝２で、Ｍ1＝Ｍ2＝Ｍ4＝Ｍ5＝Ｍ７＝Ｍ8＝Ｍ10＝Ｍ11＝１で、Ｍ0は[ＳＬＲＵ0、ＳＬＲＵ1]を、Ｍ1は[ＳＬＲＵ2]を、Ｍ2は[ＳＬＲＵ3]を、Ｍ3は[ＳＬＲＵ4、ＳＬＲＵ5]を、Ｍ4は[ＳＬＲＵ6]を、Ｍ5は[ＳＬＲＵ7]を、Ｍ6は[ＳＬＲＵ8、ＳＬＲＵ9]を、Ｍ7は[ＳＬＲＵ10]を、Ｍ8は[ＳＬＲＵ11]を、Ｍ9は[ＳＬＲＵ12、ＳＬＲＵ13]を、Ｍ10は[ＳＬＲＵ14]を、Ｍ11は[ＳＬＲＵ15]を含む。
【００８２】
１２個のリソース割り当てユニットを二つのグループに分割すると、グループ１にはＫ1＝９個のリソース割り当てユニット[Ｍ0、Ｍ1、Ｍ2、Ｍ3、Ｍ4、Ｍ5、Ｍ6、Ｍ7、Ｍ8]、即ち[ＳＬＲＵ0、ＳＬＲＵ1、ＳＬＲＵ2、ＳＬＲＵ3、ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11]が含まれ、グループ２にはＫ2＝９個のリソース割り当てユニット[Ｍ3、Ｍ4、Ｍ5、Ｍ6、Ｍ7、Ｍ8、Ｍ9、Ｍ10、Ｍ11]、即[ＳＬＲＵ4、ＳＬＲＵ5、ＳＬＲＵ6、ＳＬＲＵ7、ＳＬＲＵ8、ＳＬＲＵ9、ＳＬＲＵ10、ＳＬＲＵ11、ＳＬＲＵ12、ＳＬＲＵ13、ＳＬＲＵ14、ＳＬＲＵ15]が含まれる。
【００８３】
上記実施例において、いずれも５ＭＨｚシステムに応用した場合を説明したが、１０ＭＨｚ、２０ＭＨｚのシステムにも適用する。例えば、１０ＭＨｚ又は２０ＭＨｚにおけるロジックリソースユニット数量は１２又は１６で、実施例１、２、３、４における方法を採用することができる。且つ、他の可能であるＬ値にも上記方法を用いることができる。
【００８４】
上記全ての実施例において、いずれも二進数ビットによってリソース割り当てユニットを指示し、割り当てユニットによってロジックリソースユニットを確定した。方法の説明において、リソース割り当てユニットは中間フローで、省略し、直接Ｌ個のロジックリソースユニットをＫ個のグループに分割し、各グループにおけるロジックリソースユニット数量がＬiで、二進数ビットで指示し、各二進数ビットによって一つ又は複数のロジックリソースユニットを指示することができる。
【００８５】
図６と図１０において、リソース割り当てユニットの説明を省略した後、リソースインテックスのコーディング及び指示方法は図１４と図１５に示す通りである。その他は上記実施例１〜４に類似するので、説明を省略する。
【００８６】
上記実施例における方法をテーブルで示すことができれば、図形、木（Tree）、一般式及びそれらのグループ合せによって説明することもできる。また、上記実施例は特定のシステム帯域幅に限られず、システム帯域幅サイズ及び/又は指示しようとするサブバンド又はロジックリソースユニットの数量に基づいて、上記実施例における各種方法をグループみ合わせて用いることができ、例えば、他の非規則の帯域幅のシステムの場合、サブキャリア間隔を変更する又はサンプリングレート、又はTone  Droppｉng技術によって、該システムを標準帯域幅のシステムに拡張する、または縮小することができ、このような拡張又は縮小を経て、該非規則のシステムのリソース帯域幅が標準帯域幅と同種類の帯域幅に属されると認めることができる。この場合、当該システムのリソース割り当て状況は対応する標準帯域幅システムを参照することができる。
【００８７】
例えば、８.７５ＭＨｚの場合、ＦＦＴポイント数が１０ＭＨｚと同一であると、同種類の帯域幅であると認めることができ、同一のＬ値である場合同一の方法を用いることができる。
【００８８】
なお、上記方法と実施例を等価式又はテーブル又は図例によって示すことができ、実現し得る指示したロジックリソースユニット又はリソース割り当てユニットの効果が同一であると、等価方法であると認め、説明を省略する。
【００８９】
なお、ＩＥＥＥ  ８０２.１６mシステムにおいて、リソースがサブバンドと連続ロジックリソースユニットを含むので、当該方法は当該システムに適切である。他の通信システムの場合も実用的な意義を持っている。
【００９０】
上述のように、上記実施例によると、異なる帯域幅に基づいて、異なるリソース数量、異なるリソース割り当て粒度について、柔軟なコーディング及び指示方式を用いることによって、リソースユニットにＢｉｔｍａｐ、又はオーバーラップグループ分け-Ｂｉｔｍａｐ又は非オーバーラップグループ分け-Ｂｉｔｍａｐに基づく指示を実現し、リソーススケジューリングに便宜を提供し、リソースを充分に利用可能となり、当該方法によると、リソースコーディング及び指示のオーバヘッドを低減し、システムスペクトル効率を向上できる。また、スケジューリング割り当ての柔軟性及びリソース割り当て情報のオーバーヘッドでも良好に妥協できる。
【００９１】
当業者にとっては、上記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９２】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005600753.tif 000002
【図２】
0005600753.tif 000003
【図３】
0005600753.tif 000004
【図４】
0005600753.tif 000005
【図５】
0005600753.tif 000006
【図６】
0005600753.tif 000007
【図７】
0005600753.tif 000008
【図８】
0005600753.tif 000009
【図９】
0005600753.tif 000010
【図１０】
0005600753.tif 000011
【図１１】
0005600753.tif 000012
【図１２】
0005600753.tif 000013
【図１３】
0005600753.tif 000014
【図１４】
0005600753.tif 000015
【図１５】
0005600753.tif 000016